(57)【要約】【課題】箱形状の容器、または、物入れ、および、書籍書類棚並びに物品収納体を積み重ね状にて上下左右前後姿勢を保ち平行上下に移させる装置。【解決手段】  箱形状体を上下に動く左右のローラーチェーンに上下に積み重ねるごとき状態で  取り付け、例えば装置の左側で上に移動、装置の上部で装置の右側に移行するさい装置の左右に設けた遊星歯車装置により箱形状体が上下前後左右位置を保って移行、装置の右側で上下に積み重なった状態で下方に移行、下部で、装置の左右に設けた遊星歯車装置により箱形状体が上下前後左右位置を保って装置の左側に移行する構造。【選択図】図１
2016044073.tif 000002
【特許請求の範囲】
【請求項１】
本発明は箱形状の容器、または、物入れ、および、書籍書類棚並びに物品収納体（以後、容器、または、物入れ、および、書籍書類棚並びに物品収納体を箱形状体と記す）を上下に動く左右のローラーチェーンに上下に積み重ねるごとき状態で取り付け、例えば装置の左側で上に移動、装置の上部で装置の右側に移行するさい装置の上部に設けた遊星歯車装置により箱形状体が上下前後左右位置を保って移行、装置の右側で上下に積み重なった状態で下方に移行、下部で、装置の左右に設けた遊星歯車装置により箱形状体が上下前後左右位置を保って装置の左側に移行する装置の発明に関する。
【発明の詳細な説明】
【技術分野】  本発明は箱形状の容器、または、物入れ、および、書籍書類棚並びに物品収納体（以後、箱形状体と記す）を上下に動く左右のローラーチェーンに上下に積み重ねるごとき状態で  取り付け、例えば装置の左側で上に移動、装置の上部で装置の右側に移行するさい装置の左右に設けた遊星歯車装置により箱形状体が上下前後左右位置を保って移行、装置の右側で上下に積み重なった状態で下方に移行、下部で、装置の左右に設けた遊星歯車装置により箱形状体が上下前後左右位置を保って装置の左側に移行する装置。その、利用法の一つ。汚染水、放射性物資汚染水を含めて水処理において、箱形状体を容器とし、左側で各容器に汚染物質吸着剤を装着、上層容器から下層容器に順に汚染水を流し、順次汚染物を吸着、吸着剤が劣化した段階で容器を右側に移行、このさい、水処理続行、右側において吸着剤再生を行う。別に、書類棚としての利用においては、書籍書類保管室、事務室の上部空間を利用、必要書類を係員の手元に移行する。さらに、都会における建築物の階層化に応え、階層間での書籍書類、または、物品の搬送をおこない、各階層間での共有化を計ることができる。
【背景技術】
【０００１】  従来、汚染水処理においては各処理層を横方向前後左右に配置、多くは２系列設けて吸着剤劣化再生対策として、２系列相互運転休止をおこなっている。なお、装置上部空間は比較的大きく、その利用を欠いている。書類棚等は利用者の手が届く範囲に設けることが多く、収納量が限られ、なお、各室の上部空間の利用を欠いている。物品製造場において、係員の手の届く範囲に部品や金型、治工具を置き、日日使用する製造物品用部品の先入れ後出しを招いている。
【発明の概要】
【発明が解決しようとする課題】
【０００２】  本発明の装置は人間身長による行動範囲制約を除く。なお、業務の合理化に役立ち、連続性を良好にする。一例として病院、医院のカルテ保存管理扱いの合理化については、多くの市民が注目する事柄である。これに類する事柄は各家庭にあり、高齢化、体力の減少にこたえることを含め多岐に及ぶ。
【課題を解決するための手段】  本発明は箱形状体を積み重なった状態で、例えば左側で上に移動、上部で右側に移行するさい装置の左右に設けた遊星歯車装置により箱形状体が上下前後左右位置を保って移行、右側で上下に積み重なった状態で下方に移行、下部で、装置の左右に設けた遊星歯車装置により箱形状体が上下前後左右位置を保って左側に移行する。ななわち、本装置の箱形状体が装置の左右において積み重なり状態である。この状態を解き、各箱形状体の間隔を開き、装置の上下で箱形状体を左右に移行させるさい、遊星歯車装置を適切に応用して箱形状体の上下前後左右方向を保ち移行させる。
【発明の効果】
【０００３】  本装置利用による効果は多岐にわたるゆえ、その代表的と考えられるいくつかを以下に列記する。その１、前記、汚染水処理。その２、書籍書類保管においては、特に官公署における長年にわたり保管を要する書籍書類保管。その３、物品製造場における日日の部品保管、治工具保管、これらにおいて各保管場、製造場の有効利用、先入れ後出し防止、物品の搬送。その４、物品の加熱乾燥。その５、工場、事務所、住宅において、上部空間有効利用、上下階層間の物品の搬送。このさい、保管を兼ね備え、各階層での必要書籍書類の選び出し入れ利用を容易にする。その６、大型の装置では車の立体駐車装置。以上、多岐にわたる。
【図面の簡単な説明】
【０００４】
【図１】本装置の実施形態を示す装置の側面図  遊星歯車装置は破線で示す
【図２】本装置の箱形状と運行チェーンとの関連図  斜め右上からの視図
【図３】本装置の上下部に設ける遊星歯車装置図  図１で破線で示した図形の裏側、箱形状体らの視図
【図４】本装置応用例として汚染水処理図  斜め右上からの視図
【図５】本装置応用例として事務所、工場等における書籍書類または物品保管と各階層間での搬送方法。加えて各階層間における書籍書類または物品共有化例図  斜め右上からの視図
【発明実施するための最良の形態】
【０００５】    本装置の実施の形態を図１から図５に示した。図での表現を補い記したいことがら。その１、箱形状体の形状は、利用法により異なる。その２、箱形状体の高さに適したローラーチェーンの選定が必要。その３、装置の左右上下に設ける遊星歯車装置を図１では破線で略記し、別に図３に記した。そのさい、図１に表示していない、箱形状体らの視図である。
【実施例】  以下、本装置の実施の形態を図１から図５にもとづいて説明する。図２に示す箱形状体２の左右にローラーチェーン１を設け、チェーンプレート、または  チェーンリンクプレート４にガイドプレート５と共に箱形状体２を取り付け、ガイドプートにガイドピン６を設ける。図１に示す箱形状体２は上下に積み重ね状に配す。箱形状体２を着して動く左右ローラーチェーン１はローラーチェーンレール１９にそって上下に動く。このさい、ガイドピン６はガイドピンレール１８にそって上下に動き、したがって、箱形状体２の姿勢を保ちながら上下に動かせる。ローラーチェーン１はローラーチェーンスプロケット３にかかりローラーチェーンスプロケット３は装置駆動軸２０に嵌り、上下、いずれかの装置駆動軸２０に付す電動機２１、または手動で装置駆動軸２０をまわす。したがってローラーチェーンスプロケット３を回しローラーチェーン１を動かせる。遊星歯車回転盤７は装置駆動軸２０に嵌り、図１では背面図となり破線で示す。図３において、遊星歯車回転盤７は、図１に破線でしめす図形の反対側・裏側を示す。中心歯車８は固定、無回転であり、それとかみ合う中間歯車９とかみ合う遊星歯車１０を取り付けた遊星歯車回転盤７はローラーチェーンスプロケット３と同一に回転する。遊星歯車に設けたガイドピン嵌り穴２３に箱形状体２に伴うガイドビン６が嵌り、左（右）から上（下）、上（下）から右（左）に移行するさい、遊星歯車１０の作用により箱形状体２は左右上下前後位置、すなわち姿勢を保って移行する。図４は、本装置を汚染水処理に利用した一例図である。本装置の片側で吸着剤２２を入れた箱形状体２の上部から汚染水を流し込み、処理済水槽１５に流し入れ、吸着剤が劣化した段階で、反対側に箱形状体２を移行させ、吸着剤２２の再生等を行う。１４は汚染水槽を示す。図５は、多層階事務所、工場における本装置活用一例図である。本装置を下層階１１と上層階１２間をとおして設け、書籍書類、または、物品の保管と搬送を行い、事務机、または、作業机１３に近接して本装置を設けることにより事務。作業を容易にし、各階層間で書籍書類、または、物品の共有を計る。
【産業上の利用可能性】  本装置利用可能性は多岐にわたるゆえ、その代表的と考えられるいくつかを以下に列記する。その１、前記、汚染水処理。その２、書籍書類保管においては、特に官公署における長年にわたり保管を要する書籍書類保管。その３、物品製造場における日日の部品保管、治工具保管、これらにおいて各保管場、製造場の有効利用、先入れ後出し防止、物品の搬送。その４、物品の加熱乾燥。その５、工場、事務所、住宅において、上部空間有効利用、上下階層間の物品の搬送、このさい、保管を兼ね備え、各階層での必要書籍書類の選び出し入れ利用を容易にする。その６、大型の装置では車の立体駐車装置。以上、多岐にわたる。
【符号の説明】
【０００６】１    ローラーチェーン
２    箱形状体
３    チェーンスプロケット
４    チェーンプレート
５    ガイドプレート
６    ガイドピン
７    遊星歯車装置回転盤
８    中心固定歯車
９    中間歯車
１０  遊星歯車
１１  下層階フロアー
１２  上層階フロアー
１３  事務机または作業机
１４  汚染水槽
１５  処理済水槽
１６  書類書籍または物品
１７  ガイドピン
１８  ガイドピンレール
１９  ローラーチェーンレール
２０  装置駆動軸
２１  駆動電動機または手動
２２  吸着剤
２３  ガイドピン嵌り合い穴
【図１】
2016044073.tif 000003
【図２】
2016044073.tif 000004
【図３】
2016044073.tif 000005
【図４】
2016044073.tif 000006
【図５】
2016044073.tif 000007